(57)【要約】  本発明は、絶縁導体（１０）を接続するための接続要素（１００）であって、絶縁導体（１０）のための受容空間（１４）が形成されている締付スリーブ本体（１３）と、ネジ頭部（１６）とネジ軸部（１７）とを有している接続ネジ（１５）であって、締付スリーブ本体（１３）に形成されている開口部（３３）を介して、接続ネジ（１５）の挿入方向（Ｒ）に沿って受容空間（１４）の内部に導入可能とされる接続ネジ（１５）とを備えている接続要素（１００）において、受容空間（１４）が、第１の領域（１８）と、第１の領域（１８）に隣り合っている第２の領域（１９）とを有しており、第１の領域（１８）が、絶縁導体（１０）のための支持領域を形成しており、第２の領域（１９）が、第１の領域（１８）に配置されている絶縁導体（１０）の部分領域を接続状態で接続ネジ（１５）を介して押圧するための圧入領域を形成しており、第２の領域（１９）が、２つの互いに対して反対側に位置する側壁（２０，２１）を有しており、絶縁導体（１０）に押し込むことによって露呈された絶縁導体（１０）のストランド（１１）が、接続状態で電気的に接触している態様で側壁（２０，２１）に当接している、接続要素（１００）である。
2021519498.tif 000002
【特許請求の範囲】
【請求項１】
絶縁導体（１０）を接続するための接続要素（１００）であって、
前記絶縁導体（１０）のための受容空間（１４）が形成されている締付スリーブ本体（１３）と、
ネジ頭部（１６）とネジ軸部（１７）とを有している接続ネジ（１５）であって、前記締付スリーブ本体（１３）に形成されている開口部（３３）を介して、前記接続ネジ（１５）の挿入方向（Ｒ）に沿って前記受容空間（１４）の内部に導入可能とされる前記接続ネジ（１５）と、
を備えている前記接続要素（１００）において、
前記受容空間（１４）が、第１の領域（１８）と、前記第１の領域（１８）に隣り合っている第２の領域（１９）とを有しており、前記第１の領域（１８）が、前記絶縁導体（１０）のための支持領域を形成しており、前記第２の領域（１９）が、前記第１の領域（１８）に配置されている前記絶縁導体（１０）の部分領域を接続状態で前記接続ネジ（１５）を介して押圧するための圧入領域を形成しており、前記第２の領域（１９）が、２つの互いに対して反対側に位置する側壁（２０，２１）を有しており、前記絶縁導体（１０）に押し込むことによって露呈された前記絶縁導体（１０）のストランド（１１）が、前記接続状態で電気的に接触している態様で前記側壁（２０，２１）に当接していることを特徴とする接続要素（１００）。
【請求項２】
前記第１の領域（１８）が、円状の断面を有しており、及び/又は、前記第２の領域（１９）が、細長い断面を有していることを特徴とする請求項１に記載の接続要素（１００）。
【請求項３】
前記第２の領域（１９）が、前記第１の領域（１８）の反対側に位置する前記第２の領域（１９）の基礎セクション（２６）に、前記第２の領域（１９）の内部に突出している突起（２７）を有していることを特徴とする請求項１又は２に記載の接続要素（１００）。
【請求項４】
前記第１の領域（１８）が、前記接続ネジ（１５）の挿入方向（Ｒ）に延在している長さ（Ｌ１）を有しており、
前記第２の領域（１９）が、前記接続ネジ（１５）の前記挿入方向（Ｒ）に延在している長さ（Ｌ２）を有しており、
Ｌ２＞＝１／２×Ｌ１の関係が成立することを特徴とする請求項１〜３のいずれか一項に記載の接続要素（１００）。
【請求項５】
前記接続ネジ（１５）の前記ネジ軸部（１７）が、前記接続ネジ（１５）の挿入方向（Ｒ）に対して横向きに延在している前記受容空間（１４）の前記第２の領域（１９）の幅（Ｂ）より小さい直径（ＤＳ）を有していることを特徴とする請求項１〜４のいずれか一項に記載の接続要素（１００）。
【請求項６】
前記ネジ軸部（１７）が、前記ネジ頭部（１６）の反対側に位置する前記ネジ軸部（１７）の端部セクション（２３）に、前記接続ネジ（１５）の挿入方向（Ｒ）においてテーパー状になっているテーパー状領域（２４）を有していることを特徴とする請求項１〜５のいずれか一項に記載の接続要素（１００）。
【請求項７】
前記テーパー状領域（２４）が、少なくとも２つの段付肩部（２５）を有していることを特徴とする請求項６に記載の接続要素（１００）。
【請求項８】
前記受容空間（１４）の前記第２の領域（１９）の互いに対して反対側に位置する２つの前記側壁（２０，２１）が、互いに対して所定の角度で延在するように構成されていることを特徴とする請求項１〜７のいずれか一項に記載の接続要素（１００）。
【請求項９】
スロット状凹所（２８，２９）が、互いに対して反対側に位置する２つの前記側壁（２０，２１）それぞれに形成されていることを特徴とする請求項１〜８のいずれか一項に記載の接続要素（１００）。
【請求項１０】
接触要素（３１）が配置されている受容領域（３０）が、締付スリーブ本体（１３）に形成されていることを特徴とする請求項１〜９のいずれか一項に記載の接続要素（１００）。
【請求項１１】
前記接触要素（３１）が、チューリップコンタクトとして構成されていることを特徴とする請求項１０に記載の接続要素（１００）。
【請求項１２】
少なくとも１つの請求項１〜１１のいずれか一項に記載の接続要素（１００）が配置されている絶縁材料ハウジング（４０）を備えている装置（２００）において、
前記絶縁材料ハウジング（４０）が、前記接続要素（１００）それぞれのために、少なくとも２つの互いに対して反対側に位置する貫通開口部（４３，４４）であって、前記接続要素（１００）それぞれに配置されている前記絶縁導体（１０）を通過させるための前記貫通開口部（４３，４４）を有していることを特徴とする装置（２００）。
【請求項１３】
端部キャップ（４５）が、２つの前記貫通開口部（４３，４４）のうち少なくとも１つの貫通開口部に配置されており、前記接続要素（１００）それぞれのために、前記貫通開口部（４３，４４）を通じて貫通した前記絶縁導体（１０）のための境界壁（４６）を有していることを特徴とする請求項１２に記載の装置（２００）。
【請求項１４】
前記境界壁（４６）が、前記境界壁（４６）を開けるための目打ち線（４７）を有していることを特徴とする請求項１３に記載の装置（２００）。
【請求項１５】
少なくとも１つの絶縁導体（１０）の長さに沿って直列に且つ互いから離隔して配置されている複数の装置（２００）を有しているエネルギ分配システム（３００）において、
前記装置（２００）が、請求項１２〜１４のいずれか一項に記載の装置（２００）であることを特徴とするエネルギ分配システム（３００）。
【発明の詳細な説明】
【技術分野】
【０００１】
本発明は、絶縁導体を接続するための接続要素であって、絶縁導体のための受容空間が形成されている締付スリーブ本体と、ネジ頭部とネジ軸部とを有している接続ネジであって、締付スリーブ本体に形成されている開口部を介して、接続ネジの挿入方向に沿って受容空間の内部に導入可能とされる接続ネジと、を備えている接続要素に関する。また、本発明は、絶縁材料ハウジングと少なくとも１つの対応する接続要素とを有している装置と、直列に配置されており且つ対応して構成されている装置を有しているエネルギ分配システムに関する。
【背景技術】
【０００２】
占め付スリーブ本体と接続ネジとを備えている接続要素は、一般に、剥き出しにされた導体を電気的に接触している態様で締め付けるために利用される。電気的接触を実現するために、剥き出しにされた導体は、締付スリーブ本体の受容空間に挿入される。受容空間は、接続ネジを導入するための開口部の長手方向長さに対して横方向に当該長手方向長さで延在している。接続状態において、接続ネジが、圧縮力を受容空間内に位置決めされている剥き出しにされた導体に作用させるように、且つ、導体の露呈されたストランドと接続ネジと締付スリーブ本体との電気的接触を形成するように、当該接続ネジは、受容空間に導入される。この場合には、接続ネジは、良好な導電性を有する材料から形成される必要がある。
【発明の概要】
【発明が解決しようとする課題】
【０００３】
本発明の目的は、剥き出しにされていない絶縁導体を確実に接触させることができる接続要素、装置、エネルギ分配システムを提供することである。
【課題を解決するための手段】
【０００４】
当該目的は、独立請求項に規定される特徴を有する発明によって達成される。従属請求項によって、本発明の適切な実施例及び優位な発展形態が特定される。
【０００５】
本発明における接続要素は、受容空間が、第１の領域と、第１の領域に隣り合っている第２の領域とを有しており、第１の領域が、絶縁導体のための支持領域を形成しており、第２の領域が、第１の領域に配置されている絶縁導体の部分領域を接続状態で接続ネジを介して押圧するための圧入領域を形成しており、第２の領域が、２つの互いに対して反対側に位置する側壁を有しており、絶縁導体に押し込むことによって露呈された絶縁導体のストランドが、接続状態で電気的に接触している態様で側壁に当接していることを特徴とする。
【０００６】
接続すべき絶縁導体を受容するための締付スリーブ本体に設けられている受容空間は、当該受容空間が２つの領域から形成されるように構成されている。第１の領域は、受容空間に挿入される導体であって、絶縁されているので厳密には剥き出しにはされていない導体を実際に支持するために利用される。導体が未接続とされる状態では、導体は第１の領域に位置決めされているにすぎない。受容空間の第２の領域は、接続ネジの挿入方向において第１の領域に隣り合っている。第１の領域は、第２の領域に移行する。第２の領域は、第１の領域に位置決めされた導体が接続ネジによって接続されている場合に部分的にすなわち幾つかの領域において第２の領域に押圧される圧入領域を形成している。これにより、導体が接続された状態において、導体の第１の部分領域が、受容空間の第１の領域に位置決めされ、導体の第２の部分領域が、受容空間の第２の部分領域に位置決めされる。導体を第２の領域に押し込むことによって、絶縁導体のストランドを囲んでいる絶縁材料被覆が、少なくとも幾つかの領域において剥ぎ取られ、第２の領域に押し込まれた導体の部分領域では、ストランドが少なくとも幾つかの領域において露出する。絶縁材料被覆は、受容空間の第２の領域の互いに対して反対側に位置する側壁に隣り合っている導体の部分領域の領域において剥ぎ取られる。これにより、剥ぎ取りによって露出した導体のストランドが、接続状態において、受容空間の第２の領域の当該側壁に電気的に接触している態様で当接する。従って、接続された導体は、好ましくは受容空間の第２の領域に、好ましくは締付スリーブ本体と剥ぎ取りによって露出した導体のストランドとの間において電気的に接続している。これにより、導体のストランドと接続ネジとの接触が必ずしも必要でなくなるので、結果として、導電性が低いすなわち高価でない材料から接続ネジを形成することができる。導体の絶縁材料被覆は、好ましくは第１の領域と第２の領域の間における移行領域に形成されている周囲縁部で剥ぎ取られる。好ましくは、周囲縁部は鋭い縁部とされる。導体の被覆は、好ましくは導体の互いに対して反対側に位置する２つの側壁において所望の態様で剥ぎ取られる。接続状態において、導体の残りの領域では、好ましくは、ストランドが絶縁材料被覆によって囲まれている。
【０００７】
受容空間の第１の領域と第２の領域とは、最適形状の支持領域及び圧入領域を形成可能とするために、好ましくは異なる形状を有している。好ましくは、第１の領域は円状の断面を有しており、及び／又は、第２の領域は細長い断面を有している。接続ネジの挿入方向に対して横方向に延在している直径については、この場合、第１の領域は第２の領域より大きい。第１の領域が円状の断面を有している場合には、導体を受容領域に最適に且つ確実に支持することができる。第１の領域の形状が、導体の円状の断面形状に適合するからである。対照的に、第２の領域は、好ましくは円状の断面を有しておらず、細長い断面を有しているので、第２の領域は、溝又は間隙の形状として形成されている。好ましくは第１の領域より小さい幅を有している細長い形状に起因して、導体の圧入及びその結果としての導体のストランドからの絶縁材料被覆の剥ぎ取りが、安全且つ所望の態様で実施可能となる。
【０００８】
導体の接触をさらに改善するために、第２の領域は、第１の領域の反対側に位置する基礎セクションにおいて、第２の領域の内部に突出している突起を有している。突起が第２の領域の内部に突出している結果として、導体の部分領域が第２の領域に圧入される場合に、当該部分領域は一層強力に圧縮され、導体の露出したストランドは、一層大きい力で受容空間の第２の領域の側壁に向かって押圧される。これにより、接続状態では、第２の領域の側壁に当接しているストランドの接触力が小さくなる。好ましくは、突起は、基礎セクションの中央に配置されているので、第２の領域の２つの側壁に向かう方向において一様な力分布を実現することができる。突起は、好ましくはウェブ状に構成されており、接続ネジの挿入方向に対して横方向に基礎セクションの深さ全体に亘って延在している。
【０００９】
第１の領域は、接続ネジの挿入方向に延在している長さＬ１を有しており、第２の領域は、接続ネジの挿入方向に延在している長さＬ２を有しており、Ｌ２＞＝１／２×Ｌ１の関係が成立する。好ましくは、第２の領域は、第１の領域の長さＬ１の３／４に相当する長さＬ２を有している。第２の領域は第１の領域より比較的長く構成されていることに起因して、受容空間の第２の領域に圧入される導体の部分領域は、より密に圧縮され、露出したストランドは、第２の領域の側壁に向かって一層強く押圧されるので、第２の領域の側壁と露出したストランドとの間における接触力は、さらに大きくなる。
【００１０】
導体の部分領域が第２の領域に押し込まれた場合におけるストランドから絶縁材料被覆の剥ぎ取りが、さらに改善される。接続ネジのネジ軸部が、接続ネジの挿入方向に対して横方向に延在している第２の受容空間の幅より小さい直径を有しているからである。直径が比較的小さいことに起因して、剥ぎ取り効果が、特に第１の領域と第２の領域との間における移行領域の縁部で高められる。その結果として、導体のストランドからの絶縁材料被覆の剥ぎ取りが容易になるので、当該領域において特に良好な所定の態様で実施可能となる。
【００１１】
ネジ頭部の反対側に位置する端部セクションにおいて、ネジ軸部は、接続ネジの挿入方向においてテーパー状になっている領域を有している。従って、ネジ軸部の端部セクションは、導体が接続されている場合に、すなわち接続ネジが挿入方向に移動されている場合に導体に穿孔可能とされる先端部を有している。接続ネジが捩じ込まれている場合に、第１の領域に位置決めされている導体は、最初に第１の領域の内周面に向かって押圧及び変位され、これにより、絶縁材料被覆を具備する導体が、第１の領域の内周面を押圧する。接続ネジの端部セクションのテーパー状領域に起因して接続ネジが挿入方向にさらに移動される場合に、外ランドが、最初に絶縁材料被覆の内部において圧縮されるので、高い力で第２の領域に特に密に圧入される。テーパー状領域に起因して、最終的な剥ぎ取りによって露出したストランドは、第２の領域の側壁に向かって一層理想的な基礎で変位されるので、露出したストランドを第２の領域の側壁に特に良好な接触状態で当接させることができる。
【００１２】
テーパー状領域は、好ましくは少なくとも２つの段付肩部を有している。段付肩部はそれぞれ、好ましくはネジ軸部の端部セクションの全周に亘って延在している。段付肩部がネジ軸部の端部セクションの全周に亘って延在していることに起因して、導体の端部セクションと接触している導体のストランドは、導体が接続されている場合に、所定位置に保持されるので、接続ネジがさらに捩じ込まれる場合に、接続ネジの挿入方向に沿って進行し、これにより第２の領域の側壁に当接しているストランドは、第２の領域の側壁に一層強く押圧されるので、ストランド及び側壁に作用する接触力がさらに大きくなる。第２の領域への導体の圧入が、段付肩部によって改善される。
【００１３】
さらに、好ましくは、受容空間の第２の領域の互いに対して反対側に位置する２つの側壁は、互いに対して所定の角度で延在するように構成されている。従って、側壁は、好ましくは、互いに対して平行に延在しておらず、むしろ互いに対して０°より大きい角度で延在している。この場合には、好ましくは、側壁は、第２の領域の基礎セクションに向かう方向において互いに向かって延在するように、互いに対して延在している。側壁が互いに対して所定の角度で延在している結果として、第２の領域に対する導体の部分領域の圧入がさらに改善され、一層大きい接触力で露出したストランドが第２の領域の側壁に対して押圧される。
【００１４】
さらに、スロット状凹所が、第２の領域の互いに対して反対側に位置する２つの側壁それぞれに形成されている。導体の部分領域が圧入される場合に、側壁に当接している露出したストランドが、当該スロット状凹所に部分的に圧入される。その結果として、側壁におけるストランドの当接力ひいては接触力がさらに大きくなるので、電気的接触もさらに改善される。
【００１５】
接触要素が配置されている受容領域が、締付スリーブ本体に形成されている。接触要素を介して、デバイスが、例えば接続要素に電気的に接触した状態で接続されている。受容領域は、締付スリーブ本体と接触要素との間における電気的接触を形成するために、例えば接触要素が固定されているボアを有している。接触要素は、例えば当該ボアに圧入される。さらに同様に、接触要素が締付スリーブ本体に固定される場合がある。接触要素は、例えばチューリップコンタクトとして構成されている。
【００１６】
本発明の目的は、上述のように形成及び開発されている少なくとも１つの接続要素が配置されている絶縁ハウジングを有している装置であって、絶縁材料ハウジングが、接続要素それぞれについて、接続要素それぞれに配置されている導体を通過させるための、少なくとも２つの互いに対して反対側に位置する貫通開口部を有している、装置によっても達成される。好ましくは、装置は、直列に配置されており且つ絶縁材料ハウジングの内部に配置されている複数の接続要素を有している。
【００１７】
好ましくは、端部キャップは、互いに対して反対側に位置する２つの貫通開口部のうち少なくとも１つの貫通開口部に配置されており、接続要素それぞれについて、貫通開口部を貫通している導体のための境界壁を有している。端部キャップは、絶縁材料ハウジングを一方の側面において閉じるので、導体の端部セクションは、絶縁材料ハウジングの内部に触れても安全な状態で配置されている。このために、端部キャップは、導体の端部セクションの開断面を覆うことができる境界壁を有している。端部キャップは、例えば絶縁材料ハウジングと一体に形成されている。しかしながら、端部キャップは、絶縁材料ハウジングと別体の部品とすることもでき、例えば、必要に応じてラッチ接続を介して絶縁材料ハウジングに固定される場合がある。端部キャップは、絶縁材料ハウジングと同様に、好ましくはプラスチック材料から形成されている。端部キャップは、例えば、端部キャップが絶縁材料ハウジングの一方の側面の貫通開口部の全体に亘って延在し且つ覆うように構成されている。
【００１８】
しかしながら、比較的長い導体を装置の内部に位置決めする場合には、端部キャップは、端部キャップの境界壁が境界壁を開くための目打ち線を有するように構成されている。目打ち線において、利用者は、必要に応じてナイフを用いて、導体が端部キャップを貫通するように容易に境界壁を開くことができる。
【００１９】
本発明の目的は、直列に配置されており且つ少なくとも１つの導体の長さに沿って互いから離隔して配置されている複数の装置を有しているエネルギ分配システムであって、当該装置が、上述のように形成及び開発された、エネルギ分配システムによって達成される。
【００２０】
本発明について、添付図面を参照して、好ましい実施例に基づいて詳述する。
【図面の簡単な説明】
【００２１】
【図１】導体が導入されているが接続されていない状態における、本発明における接続要素の概略的な断面図である。
【図２】導入された導体が接続状態になっている、図１に表わす接続要素の概略的な断面図である。
【図３】締付スリーブ本体の概略図である。
【図４】接続要素が締付スリーブ本体に配置されている状態における、本発明における接続要素の概略図である。
【図５】本発明における装置の概略的な断面図である。
【図６】端部キャップが部分的に開いている状態における、装置の概略的な断面図である。
【図７】本発明におけるエネルギ分配システムの概略図である。
【発明を実施するための形態】
【００２２】
図１は、導体１０を具備する接続要素１００の断面図を表わす。導体１０は、接続要素１００の内部に導入されているが、図１に表わす電気的接触の態様では依然として接続されていない。導体１０は、絶縁材料ジャケット１２によって閉じられているストランド１１を具備する絶縁導線１０とされる。
【００２３】
接続要素１００は、締付スリーブ本体１３を有しており、締付スリーブ本体１３には、導体１０のための受容空間１４が形成されている。図１に表わすように、導体１０を接続するために、導体１０が受容空間１４に挿入される。締付スリーブ本体１３は、導電性金属材料から形成されている。
【００２４】
接続要素１００は、ネジ頭部１６とネジ軸部１７とを具備する接続ネジ１５をさらに有しており、接続ネジ１５は、締付スリーブ本体１３に形成された開口部３３を介して、挿入方向Ｒに沿って受容空間１４に導入可能とされる。
【００２５】
受容空間１４は、第１の領域１８と第１の領域１８に隣り合っている第２の領域１９とから形成されている。第１の領域１８は、図１に表わすように、導体１０が特に未接続状態で位置決めされている支持領域を形成している。第１の領域１８は、第１の領域１８の形状が丸い導体１０の外形に適合するように、円状又は楕円状の断面を有している。第２の領域１９は、圧入領域を形成している。第１の領域１８に配置されている導体１０の部分領域が、図２に表わすように、接続ネジ１５によって接続状態で第２の領域１９に押圧される。導体１０が第１の領域１８に圧入される場合には、絶縁材料ジャケット１２の一部分がストランド１１から剥ぎ取られ、これにより、接続状態において、露呈したストランド１１が、接続空間１４の第２の領域１９の２つの互いに対して反対側に位置する側壁２０，２１に電気的に接触している態様で当接する。第１の領域１８とは対照的に、第２の領域１９は、第２の領域１９の幅Ｂが第２の領域１９の長さＬ２より短く、且つ、第１の領域１８の直径Ｄより短いような細長い断面を有している。本明細書に示す実施例では、第２の領域１９の長さＬ２は、第１の領域１８の長さＬ１より長いので、圧入領域を形成している第２の領域１９は細長くなっている。
【００２６】
第１の領域１８と第２の領域１９との間における移行領域には、周縁部２２が形成されており、導体１０が第２の領域１９に圧入される場合に、周縁部２２によって、絶縁材料ジャケット１２がストランド１１から剥ぎ取られる。周縁部２２は、鋭角の縁部として構成されている。
【００２７】
導体１０の部分領域を第１の領域１８から第２の領域１９に圧入する場合におけるストランド１１からの絶縁材料ジャケット１２の剥ぎ取りを改善するために、ネジ軸部１７の直径ＤＳは、受容空間１４の第２の領域１９の幅Ｂより小さい。圧入の際に導体１０に作用する剥ぎ取り力は、ネジ軸部１７の直径ＤＳが第２の領域１９の幅Ｂと比較して小さい程に大きくなる。
【００２８】
ネジ軸部１７は、ネジ頭部１６の反対側に位置する端部セクション２３に、接続ネジ１５の挿入方向Ｒにおいてテーパー状になっているテーパー状領域２４を有している。従って、ネジ軸部１７の断面は、端部セクション２３において減少している。このような断面の減少の結果として、導体１０を接続するための、接続ネジ１５が導体１０に作用させる力が大きくなる。導体１０は、導体１０が接続されている場合に導体１０と直接接触するテーパー状領域２４によって最初圧縮される。これによりストランド１１が外方に変位されるので、絶縁材料ジャケット１２が剥ぎ取られた後に、露呈したストランド１１が側壁２０，２１に向かって外方に押圧され、露呈したストランド１１と側壁２０，２１との間に高い接触力が形成される。
【００２９】
本明細書で示す実施例では、テーパー状領域２４は、複数の段付肩部２５を有している。導体１０が接続されている場合に接続ネジ１５の端部セクション２３と接触する導体１０のストランド１１は、段付肩部２５の所定位置に保持されるので、接続ネジ１５がさらに捩じ込まれていく場合に接続ネジ１５の挿入方向Ｒに沿って押し込まれ、これにより第２の領域１９の側壁２０，２１に当接しているストランド１１が、再び側壁２０，２１に当接し、ストランド１１と側壁２０，２１との間に作用する接触力がさらに大きくなる。本明細書で示す実施例では、段付肩部２５は様々な高さを有している。
【００３０】
図１及び図２に表わすように、第２の領域１９の２つの側壁２０，２１は、互いに対して平行に延在していないが、互いに対して所定の角度で延在するようになっているので、互いに対して０°より大きい角度で配置されている。この場合には、側壁２０，２１は、第２の領域１９の基礎セクション２６に向かう方向において延在しつつ、互いに向かっているので、第２の領域１９は、基礎セクション２６に向かう方向においてテーパー状になっている。
【００３１】
第２の領域１９に突出している突起２７は、基礎セクション２６に形成されており、当該実施例では、基礎セクション２６から離隔するように延在しているバルジの形態で形成されている。突起２７は、第２の領域１９の幅Ｂの中央に配置されている。突起２７は、好ましくはウェブ状に構成されており、基礎セクション２６の深さ全体に亘って延在している。突起２７が第２の領域１９に突出している結果、導体１０の部分領域が第２の領域１９に圧入される場合に、当該部分領域が一層強力に圧縮され、導体１０の露呈したストランド１１が側壁２０，２１に向かって一層強力に押圧されるので、第２の領域１９の側壁２０，２１に当接しているストランド１１の接触力が大きくなる。
【００３２】
図３は、スロット状凹所２８，２９を具備する締付スリーブ本体１３の一の実施例を表わす。スロット状凹所２８，２９は、第２の領域１９の２つの互いに対して反対側に位置する側壁２０，２１それぞれに形成されている。図３では、２つのスロット状凹所２８，２９は、接続ネジ１５の挿入方向Ｒに対して横方向に形成されている第２の領域１９の深さに沿って中央に配置されている。さらに、スロット状凹所２８，２９は、図３に表わす実施例では、第２の領域１９の長さＬ２全体に亘って延在している。側壁２０，２１に対して押圧されている露呈したストランド１１はスロット状凹所２８，２９に喰い込むので、側壁２０，２１とストランド１１との間に作用する接触力が大きくなる。
【００３３】
図３からも理解されるように、締付スリーブ本体１３には、図４に表わすように接触要素３１が配置されている受容領域３０が形成されている。受容領域３０は、接触要素３１が取り付けられている複数のボア３２を、図４では３つのボア３２を有している。図４に表わす実施例では、接触要素３１は、ボア３２のうち２つのボアに圧入された状態で保持されている。接触要素３１は、チューリップコンタクトとして構成されている。
【００３４】
図５は、図１〜図４に表わす複数の接続要素１００が絶縁材料ハウジング４０の内部に直列に配置されている装置２００の断面図である。装置２００では、複数の導体１０が、電気的に接触している態様で互いに隣り合って配置されている。絶縁材料ハウジング４０は、絶縁材料ハウジング４０が接続要素１００それぞれの締付スリーブ本体１３、接続ネジ１５、及び接触要素３１を囲うように形成されている。接続ネジ１５を動作させるために、接続要素１００それぞれのための開口部４１が、絶縁材料ハウジング４０に形成されている。接触要素３１に接触するために、開口部４２が、絶縁材料ハウジング４０に同様に形成されている。絶縁材料ハウジング４０は、接続要素１００それぞれのために、接続させるべき導体１０を通過させるための、２つの互いに対して反対側に位置する貫通開口部４３，４４をさらに有している。
【００３５】
図５に表わす実施例では、端部キャップ４５が、絶縁材料ハウジング４０の一方の側面の貫通開口部４４に配置されており、絶縁材料ハウジング４０の当該一方の側面において貫通開口部４４を覆っている。端部キャップ４５は、接続要素１００それぞれのために、貫通開口部４４を貫通している導体１０のための境界壁４６を有している。端部キャップ４５は、導体１０の端部セクションのための安全に触れることができるデバイス（touch-safety device）を形成している。
【００３６】
境界壁４６それぞれは、境界壁４６を開口するための目打ち線４７（perforation）を有しているので、図６に表わすように、比較的長い導体１０であっても端部キャップ４５を通じて端部キャップ４５から突出させることができる。目打ち線４７において、利用者は、必要に応じて、導体１０が端部キャップ４５を貫通するように、容易に境界壁４６を開口させることができる。
【００３７】
図７は、複数の装置２００が直列に配置されているエネルギ分配システム３００を表わす。直列に配置されている導体１０は、複数の装置２００を貫通して延在しており、導体１０それぞれが、電気的に接触している態様で装置２００に接続されているので、導体１０それぞれについてマルチタップが形成されている。最後の装置２００は、導体１０の端部セクションを覆うために、その一方の側面に端部キャップ４５を有している。他の装置２００には、このような端部キャップ４５は配置されていないが、導体１０は、装置２００を貫通して、隣り合う装置２００に至るまで延在している。
【符号の説明】
【００３８】
１００  接続要素
１０  導体（導線、絶縁導線）
１１  ストランド
１２  絶縁材料ジャケット
１３  締付スリーブ本体
１４  受容空間
１５  接続ネジ
１６  ネジ頭部
１７  ネジ軸部
１８  第１の領域
１９  第２の領域
２０  （第２の領域１９の）側壁
２１  （第２の領域１９の）側壁
２２  周縁部
２３  （接続ネジ１５の）端部セクション
２４  （接続ネジ１５の）テーパー状領域
２５  段付肩部
２６  （接続ネジ１５の）基礎セクション
２７  突起
２８  （側壁２０の）スロット状凹所
２９  （側壁２１の）スロット状凹所
３０  受容領域
３１  接触要素
３２  ボア
３３  開口部
２００  装置
４０  絶縁材料ハウジング
４１  開口部
４２  開口部
４３  貫通開口部
４４  貫通開口部
４５  端部キャップ
４６  境界壁
４７  目打ち線
３００  エネルギ分配システム
Ｒ  ネジ軸部１７の挿入方向
Ｌ１  第１の領域１８の長さ
Ｌ２  第２の領域１９の長さ
Ｂ  第２の領域１９の幅
Ｄ  第１の領域１８の直径
ＤＳ  ネジ軸部１７の直径
【図１】
2021519498.tif 000003
【図２】
2021519498.tif 000004
【図３】
2021519498.tif 000005
【図４】
2021519498.tif 000006
【図５】
2021519498.tif 000007
【図６】
2021519498.tif 000008
【図７】
2021519498.tif 000009
【国際調査報告】
2021519498.tif 000010
2021519498.tif 000011
2021519498.tif 000012
2021519498.tif 000013
2021519498.tif 000014
2021519498.tif 000015